【手続補正書】
【提出日】平成19年12月19日(2007.12.19)
【手続補正１】
【補正対象書類名】明細書
【補正対象項目名】発明の名称
【補正方法】変更
【補正の内容】
【発明の名称】撮影装置、及び撮影装置の制御方法
【手続補正２】
【補正対象書類名】明細書
【補正対象項目名】特許請求の範囲
【補正方法】変更
【補正の内容】
【特許請求の範囲】
【請求項１】  撮影画像を印刷処理させる機能を有する外部のプリンタと通信する撮影装置であって、
撮影画像を取得する撮影手段と、
前記撮影手段による撮影処理及び前記印刷処理での動作制御を司る制御手段と、
前記制御手段に対して所定の周波数のクロック信号を発生する発生手段とを備え、
前記発生手段は、前記印刷処理の実行時と、前記撮影処理の実行時とで異なる周波数のクロック信号を前記制御手段に対して供給することを特徴とする撮影装置。
【請求項２】  前記外部のプリンタとの接続に応じて、前記発生手段は周波数を変更することを特徴とする請求項１に記載の撮影装置。
【請求項３】  さらに、前記外部のプリンタの動作状態が印刷処理のための所定の正常状態であるかを判別する判別手段を備え、
前記判別手段によって、前記外部プリンタが正常状態であると判別した場合には、前記発生手段は周波数を変更することを特徴とする請求項１または２に記載の撮影装置。
【請求項４】  さらに、前記外部のプリンタの動作状態が異常状態である場合には、表示装置にエラー表示を行わせる表示制御手段を備えたことを特徴とする請求項３に記載の撮影装置。
【請求項５】  前記発生手段は、印刷出力のための処理での動作時に、前記撮影手段による撮影画像の取得時の周波数よりも高速な周波数のクロック信号を供給することを特徴とする請求項１〜４の何れか１項に記載の撮影装置。
【請求項６】  前記発生手段は、前記印刷処理の終了に応じて、発生するクロック信号の周波数を変更することを特徴とする請求項１〜５の何れか１項に記載の撮影装置。
【請求項７】  撮影画像を印刷処理させる機能を有する外部のプリンタと通信する撮影装置であって、
撮影画像を取得する撮影手段と、
前記撮影手段による撮影処理を行うための撮影モードと、前記印刷処理を行うための印刷モードとを切りかえる切りかえ手段と、
前記撮影処理、及び前記印刷処理での動作制御を司る制御手段と、
前記制御手段に対して所定の周波数のクロック信号を発生する発生手段とを備え、
前記発生手段は、前記印刷処理の実行時と、前記撮影処理の実行時とで異なる周波数のクロック信号を前記制御手段に対して供給することを特徴とする撮影装置。
【請求項８】  さらに、前記外部のプリンタの動作状態が印刷処理のための所定の正常状態であるかを判別する判別手段を備え、
前記判別手段によって、前記外部のプリンタが正常状態であると判別した場合には、前記発生手段は周波数を変更することを特徴とする請求項７に記載の撮影装置。
【請求項９】  さらに、前記外部のプリンタの動作状態が異常状態である場合には、表示装置にエラー表示を行わせる表示制御手段を備えたことを特徴とする請求項８に記載の撮影装置。
【請求項１０】  前記発生手段は、印刷出力のための処理での動作時に、前記撮影手段による撮影画像の取得時の周波数よりも高速な周波数のクロック信号を供給することを特徴とする請求項７〜９の何れか１項に記載の撮影装置。
【請求項１１】  前記発生手段は、前記印刷処理の終了に応じて、発生するクロック信号の周波数を変更することを特徴とする請求項７〜１０の何れか１項に記載の撮影装置。
【請求項１２】  撮影画像を印刷処理させる機能を有する外部のプリンタと通信する撮影装置であって、
撮影画像を取得する撮影手段と、
前記撮影手段による撮影処理を行うための撮影モード、または、前記印刷処理を行うための印刷モードとを選択するモード選択手段と、
前記撮影処理、及び前記印刷処理を含む動作制御を司る制御手段と、
前記選択手段により選択されたモードに応じて、前記制御手段に対して所定の周波数のクロック信号を発生する発生手段とを備え、
前記発生手段は、前記印刷処理の終了に応じて、発生するクロック信号の周波数を変更することを特徴とする撮影装置。
【請求項１３】  前記発生手段は、前記印刷処理の終了に応じて、発生するクロック信号の周波数を低くすることを特徴とする請求項１２に記載の撮影装置。
【請求項１４】  撮影画像を取得する撮影手段と、少なくとも前記撮影手段を含む本装置の動作制御を司ると共に、印刷出力のための処理を実行する制御手段とを有し、撮影画像を印刷処理させる機能を有する外部のプリンタと通信する撮影装置の制御方法であって、
前記撮影手段、及び前記制御手段に対して所定の周波数のクロック信号を発生する発生工程と、
前記外部のプリンタとの接続に応じて、前記発生工程で発生するクロック信号の周波数を変更する変更工程とを備えたことを特徴とする撮影装置の制御方法。
【請求項１５】  さらに、前記外部のプリンタの動作状態が異常状態である場合には、表示装置にエラー表示を行わせる表示制御工程を備えたことを特徴とする請求項１４に記載の撮影装置の制御方法。
【請求項１６】  さらに、前記変更工程は、前記印刷処理の終了に応じて、発生するクロック信号の周波数を変更することを特徴とする請求項１４または１５に記載の撮影装置の制御方法。
【請求項１７】  撮影画像を取得する撮影手段と、少なくとも前記撮影手段を含む本装置の動作制御を司ると共に、印刷出力のための処理を実行する制御手段とを有し、撮影画像を印刷処理させる機能を有する外部のプリンタと通信する撮影装置の制御方法であって、
前記外部のプリンタの動作状態が印刷処理のための所定の正常状態であるかを判別する判別工程と、
前記判別工程において、前記外部のプリンタが正常状態であると判別した場合には、前記撮影手段、及び前記制御手段に対して供給するクロック信号の周波数を変更する発生工程とを備えたことを特徴とする撮影装置の制御方法。
【請求項１８】  さらに、前記外部のプリンタの動作状態が異常状態である場合には、表示装置にエラー表示を行わせる表示制御工程を備えたことを特徴とする請求項１７に記載の撮影装置の制御方法。
【請求項１９】  前記発生工程は、前記印刷モードでの動作時に、前記制御手段に対して前記撮影モード時の周波数よりも高速な周波数のクロック信号を供給することを特徴とする請求項１７または１８に記載の撮影装置の制御方法。
【請求項２０】  撮影画像を取得する撮影手段と、前記撮影手段による撮影処理及び印刷処理の動作制御を司る制御手段とを有し、撮影画像を印刷処理させる機能を有する外部のプリンタと通信する撮影装置の制御方法であって、
前記撮影手段による撮影処理を行うための撮影モード、または、前記印刷処理を行うための印刷モードとを選択するモード選択工程と、
前記選択工程で選択されたモードに応じて、前記制御手段に供給すべき、所定の周波数のクロック信号を発生する発生工程とを備え、
前記発生工程は、前記印刷処理の終了に応じて、発生するクロック信号の周波数を変更することを特徴とする撮影装置の制御方法。
【請求項２１】  前記発生工程は、前記印刷処理の終了に応じて、発生するクロック信号の周波数を低くすることを特徴とする請求項２０に記載の撮影装置の制御方法。
【手続補正３】
【補正対象書類名】明細書
【補正対象項目名】０００１
【補正方法】変更
【補正の内容】
【０００１】
【発明の属する技術分野】
本発明は、例えば、パーソナルコンピュータ（以下、単に「パソコン」或は「ＰＣ」と言う）やプリンタに対して、ＵＳＢ等の通信手段を介して接続可能なディジタルカメラに用いられる、撮影装置、及び撮影装置の制御方法に関するものである。
【手続補正４】
【補正対象書類名】明細書
【補正対象項目名】００１０
【補正方法】変更
【補正の内容】
【００１０】
そこで、本発明は、上記の欠点を除去するために成されたもので、消費電力を最小限に抑えることができ、小型化及び低価格を実現でき、さらに効率的な印刷出力を実現できる、撮影装置、及び撮影装置の制御方法を提供することを目的とする。
【手続補正５】
【補正対象書類名】明細書
【補正対象項目名】００１１
【補正方法】変更
【補正の内容】
【００１１】
【課題を解決するための手段】
斯かる目的下において、第１の発明は、撮影画像を印刷処理させる機能を有する外部のプリンタと通信する撮影装置であって、撮影画像を取得する撮影手段と、前記撮影手段による撮影処理及び前記印刷処理での動作制御を司る制御手段と、前記制御手段に対して所定の周波数のクロック信号を発生する発生手段とを備え、前記発生手段は、前記印刷処理の実行時と、前記撮影処理の実行時とで異なる周波数のクロック信号を前記制御手段に対して供給することを特徴とする。
【手続補正６】
【補正対象書類名】明細書
【補正対象項目名】００１２
【補正方法】変更
【補正の内容】
【００１２】
第２の発明は、前記第１の発明において、前記外部のプリンタとの接続に応じて、前記発生手段は周波数を変更することを特徴とする。
【手続補正７】
【補正対象書類名】明細書
【補正対象項目名】００１３
【補正方法】変更
【補正の内容】
【００１３】
第３の発明は、前記第１または第２の発明において、さらに、前記外部のプリンタの動作状態が印刷処理のための所定の正常状態であるかを判別する判別手段を備え、前記判別手段によって、前記外部プリンタが正常状態であると判別した場合には、前記発生手段は周波数を変更することを特徴とする。
【手続補正８】
【補正対象書類名】明細書
【補正対象項目名】００１４
【補正方法】変更
【補正の内容】
【００１４】
第４の発明は、前記第３の発明において、さらに、前記外部のプリンタの動作状態が異常状態である場合には、表示装置にエラー表示を行わせる表示制御手段を備えたことを特徴とする。
【手続補正９】
【補正対象書類名】明細書
【補正対象項目名】００１５
【補正方法】変更
【補正の内容】
【００１５】
第５の発明は、前記第１〜第４の何れかの発明において、前記発生手段は、印刷出力のための処理での動作時に、前記撮影手段による撮影画像の取得時の周波数よりも高速な周波数のクロック信号を供給することを特徴とする。
【手続補正１０】
【補正対象書類名】明細書
【補正対象項目名】００１６
【補正方法】変更
【補正の内容】
【００１６】
第６の発明は、前記第１〜第５の何れかの発明において、前記発生手段は、前記印刷処理の終了に応じて、発生するクロック信号の周波数を変更することを特徴とする。
【手続補正１１】
【補正対象書類名】明細書
【補正対象項目名】００１７
【補正方法】変更
【補正の内容】
【００１７】
第７の発明は、撮影画像を印刷処理させる機能を有する外部のプリンタと通信する撮影装置であって、撮影画像を取得する撮影手段と、前記撮影手段による撮影処理を行うための撮影モードと、前記印刷処理を行うための印刷モードとを切りかえる切りかえ手段と、前記撮影処理、及び前記印刷処理での動作制御を司る制御手段と、前記制御手段に対して所定の周波数のクロック信号を発生する発生手段とを備え、前記発生手段は、前記印刷処理の実行時と、前記撮影処理の実行時とで異なる周波数のクロック信号を前記制御手段に対して供給することを特徴とする。
【手続補正１２】
【補正対象書類名】明細書
【補正対象項目名】００１８
【補正方法】変更
【補正の内容】
【００１８】
第８の発明は、前記第７の発明において、さらに、前記外部のプリンタの動作状態が印刷処理のための所定の正常状態であるかを判別する判別手段を備え、前記判別手段によって、前記外部のプリンタが正常状態であると判別した場合には、前記発生手段は周波数を変更することを特徴とする。
【手続補正１３】
【補正対象書類名】明細書
【補正対象項目名】００１９
【補正方法】変更
【補正の内容】
【００１９】
第９の発明は、前記第８の発明において、さらに、前記外部のプリンタの動作状態が異常状態である場合には、表示装置にエラー表示を行わせる表示制御手段を備えたことを特徴とする。
【手続補正１４】
【補正対象書類名】明細書
【補正対象項目名】００２０
【補正方法】変更
【補正の内容】
【００２０】
第１０の発明は、前記第７〜第９の何れかの発明において、前記発生手段は、印刷出力のための処理での動作時に、前記撮影手段による撮影画像の取得時の周波数よりも高速な周波数のクロック信号を供給することを特徴とする。
【手続補正１５】
【補正対象書類名】明細書
【補正対象項目名】００２１
【補正方法】変更
【補正の内容】
【００２１】
第１１の発明は、前記第７〜第１０の何れかの発明において、前記発生手段は、前記印刷処理の終了に応じて、発生するクロック信号の周波数を変更することを特徴とする。
【手続補正１６】
【補正対象書類名】明細書
【補正対象項目名】００２２
【補正方法】変更
【補正の内容】
【００２２】
第１２の発明は、撮影画像を印刷処理させる機能を有する外部のプリンタと通信する撮影装置であって、撮影画像を取得する撮影手段と、前記撮影手段による撮影処理を行うための撮影モード、または、前記印刷処理を行うための印刷モードとを選択するモード選択手段と、前記撮影処理、及び前記印刷処理を含む動作制御を司る制御手段と、前記選択手段により選択されたモードに応じて、前記制御手段に対して所定の周波数のクロック信号を発生する発生手段とを備え、前記発生手段は、前記印刷処理の終了に応じて、発生するクロック信号の周波数を変更することを特徴とする。
第１３の発明は、前記第１２の発明において、前記発生手段は、前記印刷処理の終了に応じて、発生するクロック信号の周波数を低くすることを特徴とする。
【手続補正１７】
【補正対象書類名】明細書
【補正対象項目名】００２３
【補正方法】変更
【補正の内容】
【００２３】
第１４の発明は、撮影画像を取得する撮影手段と、少なくとも前記撮影手段を含む本装置の動作制御を司ると共に、印刷出力のための処理を実行する制御手段とを有し、撮影画像を印刷処理させる機能を有する外部のプリンタと通信する撮影装置の制御方法であって、前記撮影手段、及び前記制御手段に対して所定の周波数のクロック信号を発生する発生工程と、前記外部のプリンタとの接続に応じて、前記発生工程で発生するクロック信号の周波数を変更する変更工程とを備えたことを特徴とする。
第１５の発明は、前記第１４の発明において、さらに、前記外部のプリンタの動作状態が異常状態である場合には、表示装置にエラー表示を行わせる表示制御工程を備えたことを特徴とする。
第１６の発明は、前記第１４または第１５の発明において、さらに、前記変更工程は、前記印刷処理の終了に応じて、発生するクロック信号の周波数を変更することを特徴とする。
【手続補正１８】
【補正対象書類名】明細書
【補正対象項目名】００２４
【補正方法】変更
【補正の内容】
【００２４】
第１７の発明は、撮影画像を取得する撮影手段と、少なくとも前記撮影手段を含む本装置の動作制御を司ると共に、印刷出力のための処理を実行する制御手段とを有し、撮影画像を印刷処理させる機能を有する外部のプリンタと通信する撮影装置の制御方法であって、前記外部のプリンタの動作状態が印刷処理のための所定の正常状態であるかを判別する判別工程と、前記判別工程において、前記外部のプリンタが正常状態であると判別した場合には、前記撮影手段、及び前記制御手段に対して供給するクロック信号の周波数を変更する発生工程とを備えたことを特徴とする。
第１８の発明は、前記第１７の発明において、さらに、前記外部のプリンタの動作状態が異常状態である場合には、表示装置にエラー表示を行わせる表示制御工程を備えたことを特徴とする。
第１９の発明は、前記第１７または第１８の発明において、前記発生工程は、前記印刷モードでの動作時に、前記制御手段に対して前記撮影モード時の周波数よりも高速な周波数のクロック信号を供給することを特徴とする。
【手続補正１９】
【補正対象書類名】明細書
【補正対象項目名】００２５
【補正方法】変更
【補正の内容】
【００２５】
第２０の発明は、撮影画像を取得する撮影手段と、前記撮影手段による撮影処理及び印刷処理の動作制御を司る制御手段とを有し、撮影画像を印刷処理させる機能を有する外部のプリンタと通信する撮影装置の制御方法であって、前記撮影手段による撮影処理を行うための撮影モード、または、前記印刷処理を行うための印刷モードとを選択するモード選択工程と、前記選択工程で選択されたモードに応じて、前記制御手段に供給すべき、所定の周波数のクロック信号を発生する発生工程とを備え、前記発生工程は、前記印刷処理の終了に応じて、発生するクロック信号の周波数を変更することを特徴とする。
第２１の発明は、前記発生工程は、前記印刷処理の終了に応じて、発生するクロック信号の周波数を低くすることを特徴とする。
【手続補正２０】
【補正対象書類名】明細書
【補正対象項目名】００７９
【補正方法】変更
【補正の内容】
【００７９】
また、印刷モード時において、制御手段へ高速な動作周波数を与えられるため、必要以上に高速な動作周波数を使用することがなく、その分電力の消費を抑えることができる。
【手続補正２１】
【補正対象書類名】明細書
【補正対象項目名】００８０
【補正方法】削除
【補正の内容】
【手続補正２２】
【補正対象書類名】明細書
【補正対象項目名】００８１
【補正方法】削除
【補正の内容】